(57)【要約】【課題】支持筒とこれに挿嵌した濾筒との間の流体の流動空間に流体の分流を生じないようにする。【解決手段】支持筒５と、これに挿嵌した濾筒８との間の流動空間１６に、支持筒５の外周に所要間隔を介して突設した突起１５（スペーサ）を介在させる。【選択図】        図１
2005254081.tif 000002
【特許請求の範囲】
【請求項１】
濾過装置を構成する容器の内部を隔壁を介して流入室と濾過室とに区画形成し、上記濾
過室に、一端を隔壁に固着するとともに流入室に連通させ、かつ、外周に多数の通液孔
を備えた支持筒を突出介入させ、この支持筒の外周に濾筒を、両筒間に流体流動用の空間
を有するようにスペーサを介して嵌合する流体濾過装置において、
上記スペーサは、空間内の流体が空間の軸方向に連通するように支持筒の外周に所要間
隔を介して配列した複数の突起にて構成したことを特徴とする流体濾過装置。
【請求項２】
請求項１の流体濾過装置において、突起は支持筒の通液孔に嵌合固定されていることを
特徴とする流体濾過装置。
【発明の詳細な説明】
【技術分野】
【０００１】
本発明は、水，油，薬品等の流体に含まれている異物を濾過分離する流体濾過装置に関する。
【背景技術】
【０００２】
流体濾過装置では、この装置内に装填される濾筒の装填構造上、濾筒に対し流体の濾過作用が局部的に阻害される傾向がある。
【０００３】
背景技術で述べた流体濾過装置としては、以下に記載のものが知られている。
【特許文献１】特開平９−７５６１２号公報  特許文献１には、図４のように流体濾過装置を構成する容器Ａの内部に隔壁Ｂを介して流入室Ｃと濾過室Ｄとを区画形成し、上記濾過室Ｄに、一端を隔壁Ｂに固着して該一端を流入室Ｃに連通させた外周に多数の通液孔Ｅを有する支持筒Ｆを突出介入させ、この支持筒Ｆの外周に濾筒Ｇを、両筒Ｆ，Ｇ間に流体流動用の空間Ｈを有するようにスペーサＩを介して嵌合したものが記載されている。
【０００４】
上記流体濾過装置の濾過作用は、容器Ａの流入室Ｃに圧力的に流入される流体は、支持筒Ｆを通じて濾過室Ｄに誘導されるとともに、支持筒Ｆの通液孔Ｅから空間Ｈに流入し、この空間Ｈ内の流体は濾筒Ｇの内側から外側に抜け、その途上で、例えば水と油とに濾過分離され、夫々が容器Ａ外に図示しない常法手段により取り出されるものである。
【発明の開示】
【発明が解決しようとする課題】
【０００５】
特許文献１に係る流体濾過装置は、支持筒Ｆと濾筒との間の流動空間Ｈが図のようにリング状のスペーサＩによって上下に仕切られているため、流体はスペーサＩを境として図で上下に分流されてしまい、この分流により濾筒Ｇに対する流体の通り抜けが局部的に阻害され、濾筒Ｇの全長に亘っての均一的な濾過作用を果たし得ないという問題点がある。
【０００６】
本発明は、このような問題点を考慮してなされたもので、スペーサの存在によって流体を分流させることのない流体濾過装置を提供することを課題とする。
【課題を解決するための手段】
【０００７】
前述の課題を解決するため、本発明に係る流体濾過濾過装置は、特許請求の範囲の各請求項に記載の手段を採用する。
【０００８】
即ち、請求項１では、濾過装置を構成する容器の内部を隔壁を介して流入室と濾過室とに区画形成し、上記濾過室に、一端を隔壁に固着するとともに流入室に連通させ、かつ、外周に多数の通液孔を備えた支持筒を突出介入させ、この支持筒の外周に濾筒を、両筒間に流体流動用の空間を有するようにスペーサを介して嵌合する流体濾過装置において、上記スペーサは、空間内の流体が空間の全長に連通するように支持筒の外周に所要間隔を介して配列した複数の突起にて構成したことを特徴とする。
【０００９】
この手段では、空間内に進入した流体がスペーサを構成する突起間を通過して流動空間の全長に亘り流動される。よって空間内の流体の分流は阻止される。
【００１０】
また、請求項２では、請求項１の流体濾過装置において、突起は支持筒の通液孔に嵌合固定されていることを特徴とする。
【００１１】
この手段では、支持筒に穿孔されている通液孔を突起の取付孔としてそのまま利用できる。
【発明の効果】
【００１２】
本発明に係る流体濾過装置によれば、流動空間内に流入した流体をスペーサを構成する突起間を通過させて流動させるので、流動空間での流体の分流は解消され、流体を濾筒の全長に亘る空間内を流動させて濾筒の全面積の通り抜け作用を果たせ、濾過ロスのない有効な濾過作用を計ることができる。併せて、突起を濾筒を支持筒に嵌合装填するときのガイドとして機能させることができる。
【００１３】
さらに請求項２として、支持筒に穿設されている通液孔をそのまま突起の取付孔として利用すればよいので、特別な取付構造を設ける必要がない効果がある。
【発明を実施するための最良の形態】
【００１４】
以下、本発明に係る流体濾過用エレメントを実施するための最良の形態を図面に基づいて説明する。
【００１５】
図１，図２において、１は流体濾過装置を構成する縦型の容器で、この容器１内には隔壁２を介して下部に流体の流入室３が、上部に濾過室４が区画形成され、濾過室４には下端を流入室３に連通させ、かつ、該下端を隔壁２に片時状に固着した濾筒挿入用の支持筒５が突出介入される。
【００１６】
上記支持筒５は、その下部側外周に溶着により固定した下部エンドプレート６を張出し形成し、また支持筒５の上端に着脱可能の上部エンドプレート７を設け、両エンドプレート６，７に、エンドプレート未装着状態の濾筒８の両端面を当接挟持させる。
上部エンドプレート７は、本例では支持筒５にねじ座９の中央部にボルト１０を上向き突出状態でねじ込み固定し、このボルト１０に上部エンドプレート７に設けた中央孔１０ａを遊挿せしめてＯリング１０ｂによりシールし、中央孔１０ａの上方に突出したボルト部分に締付けナット１１を螺合したものにて構成されている。
【００１７】
また、上記支持筒５は、濾筒８の全長を挿嵌し得る長尺に形成され、かつ、支持筒５には濾筒８の挿嵌長さ範囲に多数の通液孔５ａが設けられている。
【００１８】
支持筒５と濾筒８との間には、流体の流動空間１６が形成され、この流動空間１６にはスペーサを構成するピン状の突起１５が介在される。
【００１９】
突起１５は、支持筒５に設けた通液孔５ａに嵌合固定され、支持筒５の軸方向に一定の間隔を介し、周方向に９０°の角度を介して４個ずつ断続間隔にて配置されている。
【００２０】
濾筒８の容器１への装填操作としては、容器１の上蓋を取り外し、支持筒５に設けたナット１１と上部エンドプレート７をボルト１０から予め取り外しておき、この取り外し状態で、エンドプレート未装填状態の濾筒８を支持筒５の上端解放端から挿嵌し、この挿嵌によって濾体８の下端面は自ずと下部エンドプレート６に当接する。この当接状態で上部エンドプレート７の中央孔１０ａをボルト１０に挿通させ、ナット１１をボルト１０に螺合して締付けることにより濾筒８の両端面は、上下のエンドプレート６，７に圧着狭持され、装填を完了する。
また、濾筒８を目詰まりなどにより交換するときは、ナット１１と上部エンドプレート７とを離脱させて目詰まり濾筒を抜き去り、新しい濾筒に先の要領で取り替え装填する。
【００２１】
本例に示した濾筒８は、石油化学プラントなどの特殊流体の濾過に使用する例を示しているため、濾筒８は金属パンチプレート製の内外二重筒８ａ，８ｂ間にグラスウールからなる濾材８ｃを厚層に充填し、濾筒両端部に位置する濾材部分を外周からバンド１２で締付けて圧縮させ、この圧縮によって流体の浸透を阻止する高密度部１３を形成し、かつ高密度部１３への流体の侵入を更に強力に阻止するために、本例では上下のエンドプレート６，７に無端状の断面くさび部１４を形成し、このくさび部１４を濾筒の端面に食い込ませるようにしてある。
【図面の簡単な説明】
【００２２】
【図１】流体濾過装置の一部切欠正面図である。
【図２】濾筒の装填状態を示す一部切欠正面図である。
【図３】濾筒部分の横断面平面図である。
【図４】従来の濾体装填状態の一部切欠正面図である。
【符号の説明】
【００２３】
１            容器
２            隔壁
３            流入室
４            濾過室
５            支持筒
６            下部エンドプレート
７            上部エンドプレート
８            濾筒
１５          突起（スペーサ）
１６          流動空間
【図１】
2005254081.tif 000003
【図２】
2005254081.tif 000004
【図３】
2005254081.tif 000005
【図４】
2005254081.tif 000006